(57)【要約】【課題】本物件はブロック用の差し筋アンカー及び非構造体、その他あと打ちアンカーなどに鉄筋を差し込む為のアンカーである。通常はコンクリート打設時に鉄筋が入っているがそのために作業能率が低下し、人体にも傷を負わせかねない場合もある。この種のアンカーは、コンクリート打設前予め型枠に取り付けてあるので、施工が後で簡単である。型枠撤去後、鉄筋を差し込みできるアンカーセットを提供する。【解決手段】アンカー筋を差し込むプラスチックの筒▲３▼の中に鉄でネジが切り込んである▲４▼前には強力粘着テープで穴かくしがしてある。使用時に粘着テープ▲２▼をはがし、型枠に取り付ける。その後コンクリートを打設していく。型枠脱形後随時必要に応じネジ切りアンカーを入れて施工していく。【選択図】    図１
0003107946.tif 000002
【実用新案登録請求の範囲】
【請求項１】
【考案の詳細な説明】
【考案の詳細な説明】
【０００１】この物品はコンクリート構造の建物全般に使用できる物品である。
【技術分野】
【０００２】強力粘着テープが貼ってあり、寸法も決まっているため作業が簡単
【背景技術】
【０００３】従来鉄筋はコンクリート打設前後に型枠に穴をあけつきさしていた。
【考案が解決しようとする課題】
【０００４】従来の場合、型枠に傷をつけるだけでなく、型枠自体が鉄筋に絡まって取り出す事が容易でなかった。さらに、狭い所での作業は突き出した鉄筋で体を傷つけたり、多くの作業の妨げとなっている。
【課題を解決するための手段】
【０００５】この物品はコンクリート打設前の型枠に予め取り付ける物品である。
【考案を実施するための最良の形態】
【０００６】本物品には強力粘着テープがつけてあり、コンクリート打設前の型枠にはりつけて使用することができる。または、釘止めも可能である。
【考案の効果】
この物品は型枠を傷つけることがなく、コンクリート打設後、容易に鉄筋を差し込む事ができる。
【図面の簡単な説明】
【図１】１本２ｍ、幅１２ｍｍ、厚さ１．５ｍｍのプラスチックの板に１０ｃｍの間隔でネジ切りアンカーがセットしてあります。板の裏には強力粘着テープが、ついている。ネジ切りアンカーの間隔は、以下１５ｃｍ、２０ｃｍの３種類Ｄ１０、Ｄ１３、Ｄ１６があります。
【符号の説明】
▲１▼プラスチックの板  ▲２▼強力粘着テープ  ▲３▼プラスッチクの筒▲１▼と一体化している。  ▲４▼筒の中に鉄でネジが切ってある  ▲５▼あと差し鉄筋Ｄ１０、Ｄ１３、Ｄ１６
【図１】
0003107946.tif 000003
【図２】
0003107946.tif 000004
【手続補正書】
【提出日】平成16年9月24日(2004.9.24)
【手続補正１】
【補正対象書類名】実用新案登録請求の範囲
【補正対象項目名】全文
【補正方法】変更
【補正の内容】
【実用新案登録請求の範囲】
【請求項１】
型枠をばらした後にコンクリート構造部分に鉄筋を取付けることができるようにしたあと差し鉄筋アンカーセットであって、
後端部に雌ねじが形成され、先端の開口を露出させてコンクリート内に埋設され、この先端の開口からあと差し鉄筋が差し込まれ、このあと差し鉄筋の先端部に形成された雄ねじが上記雌ねじに結合されることによりあと差し鉄筋を保持する筒と、
表面に上記筒が立てて取外し可能に取付けられ、裏面が型枠に取外し可能に取付けられ、コンクリート打設時に上記筒を保持する板と、
を備えたことを特徴とするあと差し鉄筋アンカーセット。
【手続補正２】
【補正対象書類名】明細書
【補正対象項目名】全文
【補正方法】変更
【補正の内容】
【考案の詳細な説明】
【技術分野】
【０００１】  この考案はあと差し鉄筋アンカーセットに関する。
【背景技術】
【０００２】  コンクリート構造物では鉄筋によって補強を行うのが一般的である。例えば、コンクリート構造部分のコンクリートを打設する前後において型枠に穴をあけ、型枠の穴にあと差し鉄筋を突き刺すことが行われている。
【考案の開示】
【考案が解決しようとする課題】
【０００３】  しかし、従来の工法では型枠に傷をつけるだけでなく、型枠自体があと差し鉄筋に絡まってしまい、コンクリート硬化後に型枠を取り外すことが容易でない。【０００４】  また、コンクリート硬化後、鉄筋が突き出たままであるので、作業者が突き出た鉄筋によって手足に怪我をし、あるいは突き出た鉄筋が通行や作業の邪魔になるという問題があった。【０００５】  この考案はかかる問題点に鑑み、簡単に作業を行うことができ、しかも作業者が突き出た鉄筋で手足に怪我をしたり鉄筋が通行や作業の邪魔になることのないようにしたあと差し鉄筋アンカーセットを提供することを課題とする。
【課題を解決するための手段】
【０００６】  そこで、本考案に係るあと差し鉄筋アンカーセットは、  型枠をばらした後にコンクリート構造部分に鉄筋を取付けることができるようにしたあと差し鉄筋アンカーセットであって、後端部に雌ねじが形成され、先端の開口を露出させてコンクリート内に埋設され、この先端の開口からあと差し鉄筋が差し込まれ、このあと差し鉄筋の先端部に形成された雄ねじが上記雌ねじに結合されることによりあと差し鉄筋を保持する筒と、表面に上記筒が立てて取外し可能に取付けられ、裏面が型枠に取外し可能に取付けられ、コンクリート打設時に上記筒を保持する板とを備えたことを特徴とする。【０００７】  本考案に係るあと差し鉄筋アンカーセットはコンクリート構造の建物全般に使用できる。また、板は表面に粘着テープを貼っておき、型枠に粘着するようにしてもよく、又釘で型枠に取外し可能に取付けるようにしてもよい。【０００８】  本考案によれば、型枠に鉄筋を差し込むための穴をあける必要がないので、型枠を傷つけることがない。また、コンクリート打設後に型枠を外すと、筒がコンクリート構造部分に残り、筒の先端の開口が露出しているので、鉄筋を容易に差し込んで取付けることができる。【０００９】  また、必要な時に鉄筋を筒に結合すればよく、鉄筋がコンクリート硬化後に常に突き出たままとならないので、作業者が突き出た鉄筋で手足に怪我をすることがなく、又突き出た鉄筋が通行の邪魔になることもない。
【考案を実施するための最良の形態】
【００１０】  以下、本考案を図面に示す具体例に基づいて詳細に説明する。図１及び図２は本考案に係るあと差し鉄筋アンカーセットの好ましい実施形態を示す。本例のあと差し鉄筋アンカーセットはプラスチックの板１と複数のプラスチックの筒３とから構成される。【００１１】  プラスチックの板１は例えば２ｍの長さ、１２ｍｍの幅、及び１．５ｍｍの厚さを有し、その裏面には強力粘着テープ２が貼りつけられ、又プラスチックの板１の表面には複数のプラスチックの筒３の先端が相互に例えば１０ｃｍ（又は１５ｃｍ、２０ｃｍ）の間隔をあけて立てて取付けられている。【００１２】  プラスチックの筒３は先端が開口され、後端には金属製の部材が固定され、この金属製の部材には雌ねじが形成されている。このプラスチックの筒３は例えば径Ｄ１０、Ｄ１３、Ｄ１６の異なるあと差し鉄筋用に準備される。【００１３】  プラスチックの筒３をセットしたプラスチックの板１を、コンクリート構造部分の型枠に予め貼りつけるか、又は釘打ちにて型枠に予め取付ける。コンクリートを打設し、これが固化した後、型枠をばらし、プラスチックの板１を取り外すと、プラスチックの筒３の先端開口が露出するので、図２に示されるように、先端に雄ねじが形成されたあと差し鉄筋をプスラチックの筒３に差し込み、あと差し鉄筋の雄ねじを筒３の雌ねじに結合させると、鉄筋をセットすることができる。【００１４】  以上のように、型枠に鉄筋を差し込むための穴をあける必要がないので、型枠を傷つけることがない。また、コンクリート打設後に型枠を外し、プラスチックの板１を取り外すと、プラスチックの筒３がコンクリート構造部分に残り、筒３の先端の開口が露出しているので、あと差し鉄筋を容易に差し込んで取付けることができる。【００１５】  また、必要な時にあと差し鉄筋をプラスチックの筒３に差し込んで結合すればよく、鉄筋がコンクリート硬化後に常に突き出たままとならないので、作業者が突き出た鉄筋で手足に怪我をすることがなく、又突き出た鉄筋が通行の邪魔になることもない。
【図面の簡単な説明】
【００１６】
【図１】  本考案に係るあと差し鉄筋アンカーセットの好ましい実施形態を示す図である。
【図２】  上記実施形態のアンカーセットに用いられるあと差し鉄筋の例を示す図である。
【符号の説明】
【００１７】    １      プラスチックの板
２      強力粘着テープ
３      プラスチックの筒
４      金属製のねじ切り部分